(57)【要約】      （修正有）【課題】収納する衛生用紙を取り出すための長穴状の取出口を画定するミシン目に包囲された蓋部を一面部に備えるとともに、取出口の全体をカバーするように一面部の内面に貼着された、スリットを有するフィルムを備えた衛生用紙収納容器において、スリットないしはフィルムの損傷が生じない構造を提供する。【解決手段】蓋部１１２の長手方向の少なくとも一方の端部領域１１２ｅに、ユーザーの指による押圧を受容可能で、押圧によって少なくとも一部が蓋部から分離して変位可能な押圧部を設ける。その押圧部を含む端部領域を、スリット２２に対する干渉が緩和されるように設けることで、スリットないしはフィルム２０の損傷が防止されるようにする。【選択図】図３
2019163077.tif 000002
【特許請求の範囲】
【請求項１】
収納する衛生用紙を取り出すための長穴状の取出口を画定するミシン目に包囲された蓋部を一面部に備えるとともに、前記取出口の全体をカバーするように前記一面部の内面に貼着されたフィルムを備えた衛生用紙収納容器であって、
前記フィルムは、前記長穴状の取出口の長手方向に延在するスリットを有し、
前記蓋部は、前記長手方向の少なくとも一方の端部領域に、ユーザーの指による押圧を受容可能で、当該押圧によって少なくとも一部が前記蓋部から分離して変位する押圧部を有し、
前記押圧部は、前記変位に伴う前記スリットに対する干渉が緩和されるように形成されていることを特徴とする衛生用紙収納容器。
【請求項２】
前記端部領域は、前記スリットとは重畳しない第２のミシン目によって区画されており、前記押圧部は前記第２のミシン目によって形成されていることを特徴とする請求項１に記載の衛生用紙収納容器。
【請求項３】
前記第２のミシン目は、前記長手方向上、前記スリットから離れるように張り出す凸状部を画定しており、該凸状部が前記押圧部となることを特徴とする請求項２に記載の衛生用紙収納容器。
【請求項４】
前記第２のミシン目は、前記長手方向上、前記スリットに近づくように張り出す凸状部を画定しており、該凸状部が前記押圧部となることを特徴とする請求項２に記載の衛生用紙収納容器。
【請求項５】
前記第２のミシン目は、前記長手方向と交差する方向に直線状に設けられていることを特徴とする請求項２に記載の衛生用紙収納容器。
【請求項６】
前記第２のミシン目と前記スリットの仮想的な延長線との交点から、前記スリットの端点までの距離が、０ｍｍ〜１０ｍｍの範囲にあることを特徴とする請求項２ないし請求項５のいずれか一項に記載の衛生用紙収納容器。
【請求項７】
前記第２のミシン目と前記スリットの仮想的な延長線との交点から、前記蓋部の端縁までの距離が、１５ｍｍ〜３０ｍｍの範囲にあることを特徴とする請求項６に記載の衛生用紙収納容器。
【請求項８】
前記蓋部の端縁から、前記接着領域までの距離が、２０ｍｍ〜４０ｍｍの範囲にあることを特徴とする請求項２ないし請求項７のいずれか一項に記載の衛生用紙収納容器。
【請求項９】
前記端部領域は、前記蓋部の端縁から離れる方向に張り出して前記スリットと重畳する円弧の形状の凸状部を画定する第２のミシン目によって区画されており、前記凸状部は、その曲率中心が前記スリットの端点よりも前記蓋部の端縁側に位置するように設けられていることを特徴とする請求項１に記載の衛生用紙収納容器。
【請求項１０】
前記第２のミシン目と前記スリットとの交点から、前記スリットの端点までの距離が０〜１２ｍｍの範囲にあることを特徴とする請求項９に記載の衛生用紙収納容器。
【請求項１１】
前記円弧の曲率半径が１０〜２５ｍｍの範囲にあることを特徴とする請求項９または１０に記載の衛生用紙収納容器。
【発明の詳細な説明】
【技術分野】
【０００１】
本発明は、衛生用紙収納容器に関し、特に直方体形状の衛生用紙収納容器において、ユーザーが衛生用紙を取り出すための取出口の改良を図ったものである。
【背景技術】
【０００２】
ティシュペーパーなどの衛生用紙を収納する容器、特に紙製の衛生用紙収納容器として、長穴状の取出口（例えば、長楕円形状のものや、一対の長辺と一対の短辺とからなり、一対の長辺を互いに離れる方向に膨出させた略長方形状のもの）を一面部（天面部）に有するものがある。また、天面部の内面（衛生用紙収納容器の内側）にはフィルムが貼着されており、フィルムには長穴状の取出口の長手方向に沿って、切れ目（スリット）が設けられているものが多い。スリットは、衛生用紙を取り出すための機能を果たすほか、外部からの塵埃や異物の侵入を防ぎ、衛生用紙を清潔な状態に保つ機能を果たす。さらに、衛生用紙を取出した際に、スリット間の摩擦により、ポップアップした次葉の衛生用紙が衛生用紙収納容器の内部に落ち込むことを防止し、衛生用紙を取出口から突出させた状態で保持する機能も果たす。
【０００３】
衛生用紙収納容器の使用前には、取出口は蓋部で閉塞されている。蓋部は、取出口を画定する形状のミシン目を天面部に加工することにより形成されており、使用時には蓋部をミシン目部分で切り離すことにより取出口が開放され、フィルムないしはスリットを露出させることができる。さらに、例えば特許文献１に記載された衛生用紙収納容器のように、長手方向の２つの端部領域と、それらの間の中央領域との３つの領域に区画され、中央領域と各端部との間にもミシン目が形成されている蓋部を有したものがある。端部領域は、蓋部の切り離しを開始する際に、ユーザーが最初に指で触れる領域である。
【先行技術文献】
【特許文献】
【０００４】
【特許文献１】特開２０１０−１７９９４６号公報
【発明の概要】
【発明が解決しようとする課題】
【０００５】
本発明は、かかる構成の衛生用紙収納容器の改良を図ったもので、フィルムないしはスリットが果たすべき機能を維持し得るようにすることを目的とする。
【課題を解決するための手段】
【０００６】
そのために、本発明は、収納する衛生用紙を取り出すための長穴状の取出口を画定するミシン目に包囲された蓋部を一面部に備えるとともに、前記取出口の全体をカバーするように前記一面部の内面に貼着されたフィルムを備えた衛生用紙収納容器であって、前記フィルムは、前記長穴状の取出口の長手方向に延在するスリットを有し、前記蓋部は、前記長手方向の少なくとも一方の端部領域に、ユーザーの指による押圧を受容可能で、当該押圧によって少なくとも一部が前記蓋部から分離して変位する押圧部を有し、前記押圧部は、前記変位に伴う前記スリットに対する干渉が緩和されるように形成されていることを特徴とする。
【発明の効果】
【０００７】
本発明によれば、スリットに対する干渉が緩和されるように押圧部が形成されていることで、取出口の開放動作時にスリットないしはフィルムの損傷が防止される。
【図面の簡単な説明】
【０００８】
【図１】従来の一般的な衛生用紙収納容器を示す斜視図である。
【図２】（ａ）および（ｂ）は、図１の衛生用紙収納容器の開放動作を示す説明図である。
【図３】本発明の第１の実施形態に係る衛生用紙収納容器を示す斜視図である。
【図４】図３の衛生用紙収納容器の展開図である。
【図５】従来の容器の蓋部と対比して、本発明の第１の実施形態の蓋部を説明するための説明図である。
【図６】（ａ）および（ｂ）は、本発明の第２の実施形態の２例を説明するための説明図である。
【発明を実施するための形態】
【０００９】
以下、図面を参照して本発明の実施形態を詳細に説明する。なお、以下では衛生用紙としてティシュペーパーを収納するティシュペーパー収納容器を例示する。
【００１０】
（本発明の前提）
図１は、特許文献１に記載されたような、従来の一般的なティシュペーパー容器（以下、単に容器ともいう）の斜視図である。ここでは、それぞれ長手方向に延在して対向する一対の長辺および短手方向に延在して対向する一対の短辺で構成される長方形状の天面部１および底面部２と、天面側および底面側の長辺同士をつなぐ側面部３と、天面側および底面側の短辺同士をつなぐ側面部４と、を有する直方体形状の紙製の容器を例示している。
【００１１】
天面部１は、長手方向に延在するティシュペーパーの取出口１０が形成される面であり、使用前には取出口１０は蓋部１２で閉塞されている。蓋部１２は、これを包囲して取出口１０を画定する形状のミシン目１４を加工することにより形成され、使用時には蓋部１２をミシン目１４の部分で天面部１から切り取ることにより、取出口１０を開放することができる。天面部１の内面には、取出口１０の全体をカバーするように、例えばプラスチック製のフィルム２０が貼着されており、その長手方向にはスリット２２が形成されている。蓋部１２は、ミシン目１８によって、長手方向における２つの端部領域１２ｅと、それらの間の中央領域１２ｃとの３つの領域に区画されている。ミシン目１８は、スリット２２と重畳（平面視にて交差）し、且つ、端部領域１２ｅ側から中央領域１２ｃ側へと半円状に張り出す凸状部１３が形成されるように設けられている。
【００１２】
かかる容器では、蓋部１２の取り外し（取出口１０の開放）動作後に、ティシュペーパーの破れや、フィルム２０ないしはスリット２２の損傷が認められることがあった。そこで本発明者らは、蓋部の取り外し動作が損傷の発生に関与しているのではないかと考察し、取出口１０を開放するためにユーザーが実際に行う蓋部の取り外し動作、および損傷の有無や状態について、１１７人のユーザーの協力を得て検証した。
【００１３】
図２（ａ）は、１１７人中、最も多かった５７人（４８．７％）のユーザーが行った取り外し動作の説明図である。この動作は、
・いずれか一方の端部領域の凸状部（図示の例では左側の端部領域１２ｅの凸状部１３）に片手（図示の例に関しては左手）の親指を添え、矢印Ａ１で示すように容器内方へ押し込むことで、ミシン目１８で端部領域１２ｅから中央領域１２ｃを切り離して隙間を作る第１の操作と、
・続いて、切り離された中央領域１２ｃの端部を他方の片手（図示の例に関しては右手）の指でつまみ、矢印Ａ２で示すように他方の端部領域（図示の例では右側の端部領域１２ｅ）までを一気に切り取る第２の操作と、
を含むものである。これらの操作を行った結果、図２（ｂ）に示すように、一方の端部領域を残して取出口１０が開放されるので、露出したスリット２２の部分を介したティシュペーパーの取り出しが可能となる。しかし端部領域が残っていると、取り出し時にティシュペーパーが引っ掛かり、これによって破れが生じてしまうことがあった。したがって、残された端部領域を取り外し、取出口１０を完全に開放する第３の操作を行う必要が生じる。
【００１４】
また、５７人のうちの４２．１％（全体の２０．５％）にあたる２４人のユーザーが取り外し動作を行った容器には、フィルム２０の穴あきや裂け目、あるいはスリット２２の拡幅方向への塑性変形などの損傷が生じていた。これは、第１の操作時にユーザーが加える力の大きさによっては、凸状部１３の全域がスリット２２を拡張しながら急激に押し込まれて行くことが原因であった。
【００１５】
取り外し動作として上記の次に多かったのが、蓋部１２の最左端（または最右端）のミシン目部分に指をこじ入れて端部領域をつまみ、そのまま最右端（または最左端）まで、蓋部１２の全体を一気に切り離す動作であり、これは１１７人のうち３９人（３３．３％）のユーザーが行っていた。このうちの２３．１％（全体の７．７％）にあたる９人のユーザーが取り外し動作を行った容器に上記と同様の損傷が認められた。
【００１６】
ユーザーが行う取り外し動作は他にも数種類あったが、上記の２種の取り外し動作を行ったユーザーの合計は９６人（全体の８２．１％）に達しており、これは全体の大多数を占めている。そして、全体の２８．２％にあたる３３人（＝２４人＋９人）のユーザーが取り外し動作を行った容器に、フィルムないしはスリットの損傷が認められたことになる。その割合すなわち損傷の発生率は、その他の取り外し動作により生じたものを含んでおらず、また、実際に使用する際に急いで蓋部の取り外しが行われる場合などもあることを考慮すれば、損傷の発生率はさらに増えると考えられる。したがって、ティシュペーパーを清潔な状態に保つ機能や、ティシュペーパーを取出口から突出させた状態で保持する機能を維持する上で、取り外し動作に起因したフィルムないしはスリットの損傷が生じないように容器を改良することは重要である。
【００１７】
本発明者らは、従来の容器では、端部領域１２ｅがスリット２２との関係を考慮して構成されていなかったために、押し込み動作を行う際に凸状部１３ないし端部領域１２ｅがスリット２２に干渉する力が大きく且つこれが急激に作用した場合に、スリット２２の損傷が生じたものであるとの知見を得た。そして、その発生率は無視できないことが上記検証によって明らかとなった。そこで本発明者らは、実際にユーザーが押圧操作を行い得る部分である凸状部ないし端部領域（以下、押圧部ともいう）を、スリットに対する干渉が緩和されるように形成することに想到して、本発明に至ったのである。
【００１８】
（第１の実施形態）
まず第１の実施形態では、蓋部の端部領域と中央領域とを区画するミシン目がスリット２２と重畳しない端部領域を形成する構成が採用される。しかしスリットの長さは、容器に収納されているティシュペーパーの幅（すなわち図１の容器の長辺方向の長さ）材質および材質などを勘案しつつ、ティシュペーパーの取り出し易さや、ポップアップしたティシュペーパーの摩擦による突出状態保持機能などを勘案して規定されるべきものである。容器に収納されるティシュペーパーの幅（図１の容器の長辺方向の長さ）は、２１０〜２４５ｍｍのティシュペーパーが好ましい。スリットの長さは、１００〜１３０ｍｍが好ましく、１００〜１２０ｍｍがさらに好ましく、１００〜１１０ｍｍがより好ましい。スリットの長さを前記数値範囲にすることにより、ティシュペーパーを取り出す際に、取出口が開け易くなり、かつ、ティシュペーパーやフィルムが損傷しにくくなる。
【００１９】
図３および図４は、それぞれ、本発明の一実施形態に係る容器の斜視図およびブランクシートを示す展開図である。なお、これらにおいて図１と同様に構成される部分については、対応箇所に同一符号を付してある。基本的な構造は図１に示した容器と同様であるが、本実施形態は、天面部１に形成すべき取出口を画定する蓋部の構成が異なる。
【００２０】
蓋部１１２はミシン目１１４によって形成され、さらに第２のミシン目１１８によって、長手方向における２つの端部領域１１２ｅと、それらの間の中央領域１１２ｃとの３つの領域に区画されていることは、図１の構成と同様である。しかし本実施形態のミシン目１１８は、スリット２２と重畳せず、且つ、中央領域１１２ｃ側から端部領域１１２ｅ内へと半円形状に張り出す凸状部１１３が形成されるように設けられている。なお凸状部１１３は、円弧によって画定されるものに限られず、三角形状や台形状などを呈するものであってもよい（これは、後述する図５の部分（ｉｉｉ）の場合も同様である）。
【００２１】
このような構成とすることによって、蓋部１１２を取り外すに際し、ユーザーが例えば凸状部１１３に指を添えて中央領域１１２ｃの端部の押し込み動作を行う場合でも、また端部領域１１２ｅの押し込み動作を行う場合でも、押し込まれる部分（押圧部）はスリット２２に干渉しないか、または干渉が大幅に緩和される。したがって、スリット２２が損傷を被るおそれが低減され、スリット２２の所期の機能を十分に発揮させることが可能となる。
【００２２】
また、蓋部１１２の取り外しの仕方としては、上記検証結果から推測して、ユーザーが凸状部１１３を押し込む動作を伴うものが多いと考えられる。この場合、例えばユーザーは一方の端部領域（例えば図３の左側の端部領域１１２ｅ）内に張り出している凸状部１１３の形状に合わせて片手の指（例えば右手の親指）を添えるのが自然であり、押し込みを行った後にそのまま中央領域１１２ｃの端部をつまみ、他方の端部領域（例えば右側の端部領域１１２ｅ）までを切り取る操作を行うと考えられる。つまり、図１の容器は異なり、ほぼ１回の操作で蓋部１１２を取り外すことができ、取出口１１０の開放動作が迅速且つ簡単なものとなる。
【００２３】
さらに、本実施形態の場合、端部領域１１２ｅの全体がスリット２２とは重畳していない。したがって、取り外し動作を行った後に端部領域１１２ｅが残っていても、取り出し時にティシュペーパーが引っ掛かることがなく、破れが生じることがない。このため、上述のような第３の操作を行う必要もないため、取出口１１０の開放はさらに簡単で迅速に行うことができるものとなる。
【００２４】
なお、図４において二点鎖線で示すフィルム２０内にハッチングを付して符号１２４で示される部分は、天面部１の内面にフィルム２０が接着される領域であり、ミシン目１１４によって画定される取出口を包囲するように設けられる。また、図４において、符号４１で示すものは、ティシュペーパーの残量が少なくなったときに底上げを行うために底面部２に形成された底上げ部である。図４では、容器内方に折り曲げ可能な２つの領域４１ａ，４１ｂを有し、当該折り曲げ時にその姿勢を維持するための係合部４１ｃが領域４１ａ，４１ｂの境界に設けられている底上げ部４１が例示されているが、底上げ部の構成は図示の例に限られず、またその配設も任意である。
【００２５】
（従来例と第１の実施形態との比較）
図５は、図１に示した容器の蓋部と、上記実施形態に係る容器の蓋部（部分（ｉｉ））、さらには第１の実施形態の変形例に係る容器の蓋部との構成を比較して説明するための図である。
【００２６】
図１の構成に対応した蓋部（図５の部分（ｉ））と図３の構成に対応した蓋部（部分（ｉｉ））との比較から明らかなように、同じ長さＬｓのスリット２２に対して、第１の実施形態のミシン目１１８は重畳（平面視にて交差）していない。また、凸状部１１３は、中央領域１１２ｃの側から端部領域１１２ｅの内部に湾入するように設けられている。このため、上述したように、スリット２２の損傷のおそれが低減され、取り外し動作が簡単なものとなり、さらには残った端部領域１１２ｅの切り離しも不要となるという効果が得られるのである。
【００２７】
しかし、中央領域１１２ｃと端部領域１１２ｅとを区画するミシン目１１８がスリット２２と重畳しないという基本的な条件を満たすものであれば、蓋部の構成は図３に示したものに限られない。図５の部分（ｉｉｉ）に示す変形例は、端部領域１１２ｅの側から中央領域１１２ｃの内側に張り出す凸状部１２３を設けたものであるが、スリット２２と重畳しないよう、凸状部１２３は凸状部１３よりも緩やかな円弧によって画定されている。さらに、図５の部分（ｉｖ）に示す変形例のように、凸状部を持たない直線状のミシン目１１８が形成されていてもよい。
【００２８】
いずれの場合でも、スリット２２の仮想的な延長線とミシン目１１８との交点からスリット２２の端点までの距離Ｌ１は、取り外し動作に際して押圧部分がスリット２２に干渉しないように定められる。そのためには、Ｌ１は、０ｍｍ以上であることが条件であり、具体的には０ｍｍ〜１０ｍｍ程度であれば好ましい。
【００２９】
また、図５の部分（ｉ）に示す従来構成の蓋部１２と、部分（ｉｉ）〜（ｉｉｉ）に示す３つの実施形態に係る蓋部１１２との比較から明らかなように、端部領域１１２ｅは長手方向（天面部１の短辺に向かう方向）に拡張されている。この拡張は必須のものではないが、例えば、部分（ｉ）に示す寸法の蓋部１２において、部分（ｉｉ）に示すようなミシン目１１８を形成した場合、端部領域の面積の制約上、押圧部となるのに好ましい大きさの突出部を確保しにくくなることがあり得る。したがって、端部領域１１２ｅは、部分（ｉ）に示す端部領域１２ｅよりも拡張されていることは有利であり、具体的には、ミシン目１１８とスリット２２の仮想的な延長線との交点から、蓋部１１２の端縁までの距離Ｌ２が１５ｍｍ〜３０ｍｍとなるように拡張されていることが好ましい。
【００３０】
さらに、端部領域の拡張を行わずにミシン目１８を形成した場合、図５の部分（ｉ）に示す寸法の取出口に合わせた接着領域２４から、凸状部１３までの距離Ｌａ´が短くなる。押圧部分にスリット２２が存在する場合と異なり、押し込み動作は展張状態にあるフィルム２０自体を変位させつつ行われるものとなるので、接着領域から凸状部１３までの距離が短いほど、同じ押圧力に対してフィルムの変位が小さくなる。このため、凸状部をミシン目から破断させるのに必要なたわみを得るためには、より大きな押圧力が必要となる。これは、ユーザーによっては負担となり、また、フィルムを傷つけるおそれも生じる。したがって、接着領域から十分な距離Ｌａを置くよう、拡張された凸状部１１３は端部領域１１２に配置されることが好ましい。本発明者らは、凸状部１１３が端部領域１１２ｅに配置されることや、取出口の開放動作に際しては端部領域１１２ｅの端縁も押圧部となり得ることを考慮すれば、図５の部分（ｉｉ）〜（ｉｖ）のいずれの場合でも端部領域１１２ｅの端縁から接着領域１２４までの距離Ｌｅを２０ｍｍ〜４０ｍｍ、好ましくは、２５ｍｍ〜３５ｍｍの範囲に設定すれば、十分な距離Ｌａを確保できるので好ましいことを確認した。前記数値範囲であれば、ティシュペーパーを取り出す際に収納されているティシュペーパーが取り出し易くなり、かつ、ティシュペーパーやフィルムが損傷しにくくなる。これは、次に述べる第２の実施形態でも同様である。
【００３１】
なお、端部領域を拡張すると、取出口の開放動作後に一方の端部領域が残されている場合には、これを切り取る際の手間がかかることが考えられる。したがって、ミシン目１１８の接続部分の数を変更したり、接続部分の長さを短く（切れ目を長く）したりするなどして、切り取り操作を行い易くすればよい。
【００３２】
（第２の実施形態）
第２の実施形態では、蓋部の端部領域と中央領域とを区画するミシン目がスリットと重畳する円弧状の凸状部を形成する構成が採用される。しかし、本実施形態では、スリットの端点の位置と凸状部の曲率中心との関係を適切に規定することで、スリットに対する干渉が緩和されるようにしたものである。
【００３３】
図６（ａ）は、図５の（ｉ）に示した構成と同様に、第２のミシン目２１８によって、端部領域２１２ｅから中央領域２１２ｃに突出する半円状の凸状部２１３を設けた例である。しかし、この例の凸状部２１３は、スリット２２が蓋部２１２の端縁側に長く延在するようには設けられておらず、円弧（半円）の曲率中心Ｃｃがスリット２２の端点Ｓｅよりも蓋部２１２の端縁側に位置するように設けられている。この構成によると、ユーザーが凸状部２１３に指を添えて押圧動作を行った際、スリット２２に干渉するのは凸状部２１３の頂点付近のみとなり、他の部位はフィルムに支持された状態となるので、スリット２２に対する干渉が緩和されることになる。
【００３４】
図６（ｂ）は、スリット２２に対する干渉がさらに緩和される例を示したもので、図６（ａ）の例よりも凸状部２１３が緩やかな円弧状に形成されている。つまり、この例の凸状部２１３の曲率半径は図６（ａ）の例よりも大きく、したがって、曲率中心Ｃｃはさらに蓋部２１２の端縁側に偏倚している。凸状部２１３をこのように形成することで、押圧時にはスリット２２との交差方向に広い範囲でフィルムに支持された状態となるので、スリット２２に対する凸状部２１３の干渉が緩和されることになる。
【００３５】
なお、曲率半径の大きさにもよるが、凸状部２１３とスリット２２との交点からスリットの端点Ｓｅまでの距離（重畳量））は、０〜１２ｍｍ、好ましくは、０〜１０ｍｍ、さらに好ましくは、２〜１０ｍｍ、特に好ましくは、５〜１０ｍｍとすることができ、曲率半径が大きいほど重畳量を大きくすることができる。前記数値範囲とすることでスリット２２に対する凸状部２１３の干渉が緩和される効果が高まる。
【００３６】
また、凸状部２１３を形成する円弧とスリット２２との交点から曲率中心Ｃｃまでの距離（円弧の曲率半径）は、１０〜２５ｍｍであり、１２〜２５ｍｍが好ましく、１２〜２０ｍｍがさらに好ましく、１４〜２０ｍｍが特に好ましい。前記数値範囲とすることでスリット２２に対する凸状部２１３の干渉が緩和される効果が高まる。
【００３７】
容器に収納されるティシュペーパーの幅（図１の容器の長片方向の長さ）は、２１０〜２４５ｍｍのティシュペーパーが好ましい。スリットの長さは、１００〜1３０ｍｍが好ましく、１００〜１２０ｍｍがさらに好ましく、１００〜１１０ｍｍがより好ましい。スリットの長さを前記数値範囲にすることにより、ティシュペーパーを取り出す際に、取出口が開け易くなり、かつ、ティシュペーパーやフィルムが損傷しにくくなる。
【００３８】
（その他）
上述した実施形態では、蓋部の２つの端部領域に、ユーザーの指による押圧を受容可能で、当該押圧によって少なくとも一部が蓋部から分離して変位可能な押圧部を形成した実施形態について説明した。しかし、押圧部は蓋部の一方の端部領域に形成されたものでもよい。また、押圧部は、端部領域と中央領域とを明確に区画するミシン目に関連して設けられていなくてもよい。つまり、そのようなミシン目を設ける代わりに、例えば、直線状の折り曲げ線と、その両端をつなぐ円弧状のミシン目とを有し、指の挿入によって容器内方に折れ曲がることで蓋部の取り外し動作の開始を受容する押圧部（指挿入部）が、蓋部の少なくとも一方の端部に設けられていてもよい。
【００３９】
さらに、以上では、対向する長辺の対およびそれと直交して対向する短辺の対で構成される長方形状の天面部および底面部を有する直方体形状の容器を例示した。しかし本発明は、これに限らず、例えば正方形状の天面部および底面部を有する広義の直方体形状容器にも適用できる。
【００４０】
加えて、本発明は、ティシュペーパーに限らず、ペーパータオルなどの衛生用紙を収納する容器にも適用できる。また、容器の材質としても、折り曲げ操作のしやすさが担保されるのであれば、紙製のものに限らず、プラスチック製のものでもよい。
【符号の説明】
【００４１】
１  天面部
２  底面部
３  天面側および底面側の長辺同士をつなぐ側面部
４  天面側および底面側の短辺同士をつなぐ側面部
１０、１１０  取出口
１２、１１２  蓋部
１２ｅ、１１２ｅ、２１２ｅ  蓋部の端部領域
１２ｃ、１１２ｃ、２１２ｃ  蓋部の中央領域
１３、１１３、１２３，２１３  凸状部
１４、１１４  ミシン目
１８、１１８，２１８  第２のミシン目
２０  フィルム
２２  スリット
２４、１２４  接着領域
４１（４１a、４１ｂ、４１ｃ）  底上げ部
【図１】
2019163077.tif 000003
【図２】
2019163077.tif 000004
【図３】
2019163077.tif 000005
【図４】
2019163077.tif 000006
【図５】
2019163077.tif 000007
【図６】
2019163077.tif 000008
【手続補正書】
【提出日】平成30年8月2日(2018.8.2)
【手続補正１】
【補正対象書類名】特許請求の範囲
【補正対象項目名】全文
【補正方法】変更
【補正の内容】
【特許請求の範囲】
【請求項１】
収納する衛生用紙を取り出すための長穴状の取出口を画定するミシン目に包囲された蓋部を一面部に備えるとともに、前記取出口の全体をカバーするように前記一面部の内面に貼着されたフィルムを備えた衛生用紙収納容器であって、
前記フィルムは、前記長穴状の取出口の長手方向に延在するスリットを有し、
前記蓋部は、前記長手方向の少なくとも一方の端部領域に、ユーザーの指による押圧を受容可能で、当該押圧によって少なくとも一部が前記蓋部から分離して変位する押圧部を有し、
前記端部領域は、前記蓋部の端縁から離れる方向に張り出して前記スリットと重畳する円弧の形状の凸状部を画定する第２のミシン目によって区画されており、前記凸状部は、その曲率中心が前記スリットの端点よりも前記蓋部の端縁側に位置するように設けられていることで、前記押圧部は、前記変位に伴う前記スリットに対する干渉が緩和されるように形成されることを特徴とする衛生用紙収納容器。
【請求項２】
前記第２のミシン目と前記スリットとの交点から、前記スリットの端点までの距離が０〜１２ｍｍの範囲にあることを特徴とする請求項１に記載の衛生用紙収納容器。
【請求項３】
前記円弧の曲率半径が１０〜２５ｍｍの範囲にあることを特徴とする請求項１または２に記載の衛生用紙収納容器。
【手続補正２】
【補正対象書類名】明細書
【補正対象項目名】０００６
【補正方法】変更
【補正の内容】
【０００６】
そのために、本発明は、収納する衛生用紙を取り出すための長穴状の取出口を画定するミシン目に包囲された蓋部を一面部に備えるとともに、前記取出口の全体をカバーするように前記一面部の内面に貼着されたフィルムを備えた衛生用紙収納容器であって、前記フィルムは、前記長穴状の取出口の長手方向に延在するスリットを有し、前記蓋部は、前記長手方向の少なくとも一方の端部領域に、ユーザーの指による押圧を受容可能で、当該押圧によって少なくとも一部が前記蓋部から分離して変位する押圧部を有し、前記端部領域は、前記蓋部の端縁から離れる方向に張り出して前記スリットと重畳する円弧の形状の凸状部を画定する第２のミシン目によって区画されており、前記凸状部は、その曲率中心が前記スリットの端点よりも前記蓋部の端縁側に位置するように設けられていることで、前記押圧部は、前記変位に伴う前記スリットに対する干渉が緩和されるように形成されることを特徴とする。